【手続補正書】
【提出日】平成19年11月12日(2007.11.12)
【手続補正１】
【補正対象書類名】特許請求の範囲
【補正対象項目名】全文
【補正方法】変更
【補正の内容】
【特許請求の範囲】
【請求項１】
気体流を患者の気道に連絡する固有の患者界面材装置に複数群のデータ内の各群のデータが関連する複数群のデータをデータベースに記憶する過程と、
患者の頭部の少なくとも一部に関する解剖学的特徴の寸法を示す解剖学的データを含む患者の少なくとも１つの特性に対応する患者データを得る過程と、
患者データを複数群のデータと比較する過程と、
患者データと複数群のデータとの比較の結果に基づいて、患者による使用に適する患者界面材装置を決定する過程とを含むことを特徴とする患者界面材装置又は患者界面材の少なくとも１つの構成部材を選択する選択法。
【請求項２】
複数群のデータの各々は、各群のデータに関連する固有の患者界面材装置の物理的な寸法に関連するデータを含む請求項１に記載の選択法。
【請求項３】
複数群のデータの各々は、各群のデータに関連する固有の患者界面材装置の物理的な寸法に無関係のデータを含み、患者データは、更に患者の解剖学的特徴の寸法に対応しないデータを含む請求項１に記載の選択法。
【請求項４】
患者界面材装置を決定する過程は、複数の異なる形式の患者界面材装置から一形式の患者界面材装置を決定する過程を含む請求項１に記載の選択法。
【請求項５】
患者界面材装置を決定する過程は、複数の異なるサイズの患者界面材装置から一サイズの患者界面材装置を決定する過程を含む請求項１に記載の選択法。
【請求項６】
患者界面材装置を決定する過程は、(1)複数の異なる形式の患者界面材装置から一形式の患者界面材装置を決定する過程と、(2)決定された患者界面材装置の形式に関連する複数の異なるサイズの患者界面材装置から一サイズの患者界面材装置を決定する過程とを含む請求項１に記載の選択法。
【請求項７】
患者データを得る過程は、患者の顔面上の目印間の距離を測定する過程を含み、患者データは、測定された距離を含む請求項１に記載の選択法。
【請求項８】
患者データ群を得る過程は、患者顔面の少なくとも一部の三次元表示を形成する過程を含む請求項１に記載の選択法。
【請求項９】
患者データ群を得る過程は、第１の場所で実施され、更に、患者データを第２の場所に送信して比較を行う過程を含む請求項１に記載の選択法。
【請求項１０】
患者の使用に適する患者界面材装置を決定する過程は、患者の使用に適する複数の患者界面材装置を決定する過程を含む請求項１に記載の選択法。
【請求項１１】
更に、患者データと複数群のデータとの間の一致度に基づき、複数の患者界面材装置の中で患者界面材装置の優先順位を付ける過程を含む請求項１０に記載の選択法。
【請求項１２】
患者界面材装置は、調節可能な構造を含み、更に、患者界面材を決定する過程で決定される患者界面材装置の調節可能な構造の設定レベルを患者データに基づいて決定する過程を含む請求項１に記載の選択法。
【請求項１３】
更に、データベースに患者データを記憶する過程を含む請求項１に記載の選択法。
【請求項１４】
更に、新規な患者界面材装置に対応する新規な一群のデータをデータベースに入力する過程と、
新規な一群のデータを含む複数群のデータと記憶された患者データとを使用して、比較する過程と決定する過程とを繰り返す過程とを含む請求項１３に記載の選択法。
【請求項１５】
気体流を患者の気道に連絡する固有の患者界面材装置に複数群のデータ内の各群のデータが関連する複数群のデータを記憶するデータベースと、
患者の頭部の少なくとも一部に関する解剖学的特徴の寸法を示す解剖学的データを含む患者の少なくとも１つの特性に対応する一群の患者データを得る手段と、
患者データを複数群のデータと比較し、比較結果に基づいて患者の使用に適する患者界面材装置を決定する演算処理手段とを備えることを特徴とする患者に対して患者界面材装置を選択する選択装置。
【請求項１６】
複数群のデータの各々は、各群のデータに関連する固有の患者界面材装置の物理的な寸法に関連するデータを含む請求項１５に記載の選択装置。
【請求項１７】
複数群のデータの各々は、各群のデータに関連する固有の患者界面材装置の物理的な寸法に無関係のデータを含み、患者データは、更に患者の解剖学的特徴の寸法に対応しないデータを含む請求項１５に記載の選択装置。
【請求項１８】
演算処理手段は、複数の異なる形式の患者界面材装置から一形式の患者界面材装置を決定する請求項１５に記載の選択装置。
【請求項１９】
演算処理手段は、複数の異なるサイズの患者界面材装置から一サイズの患者界面材装置を決定する請求項１５に記載の選択装置。
【請求項２０】
演算処理手段は、(1)複数の異なる形式の患者界面材装置から一形式の患者界面材装置を決定し、(2)決定された一形式の患者界面材装置に関連する複数の異なるサイズの患者界面材装置から一サイズの患者界面材装置を決定する請求項１５に記載の選択装置。
【請求項２１】
一群の患者データを得る手段は、患者顔面上の目印間の距離を測定する測定器具であり、患者データは、測定された距離を含む請求項１５に記載の選択装置。
【請求項２２】
一群の患者データを得る手段は、患者顔面の少なくとも一部の三次元表示を形成する手段を含む請求項１５に記載の選択装置。
【請求項２３】
一群の患者データを得る手段は、第１の場所に配置され、更に、患者データを第２の場所に送信する手段を備える請求項１５に記載の選択装置。
【請求項２４】
演算処理手段は、患者の使用に適する複数の患者界面材装置を決定する請求項１５に記載の選択装置。
【請求項２５】
演算処理手段は、患者データと複数群のデータとの間の一致度に基づき、複数の患者界面材装置に優先順位を付ける請求項２４に記載の選択装置。
【請求項２６】
患者界面材装置は、調節可能な構造を含み、患者に適合するように決定される患者界面材装置の調節可能な構造の設定レベルを患者データに基づいて決定する請求項１５に記載の選択装置。
【請求項２７】
更に、データベースに患者データを記憶する手段を備える請求項１５に記載の選択装置。
【請求項２８】
更に、新規な患者界面材装置に対応する新規な一群のデータをデータベースに入力する手段を備え、演算処理手段は、新規な一群のデータを含む複数群のデータと記憶された患者データとを比較して、比較結果に基づき、患者の使用に適する患者界面材装置を決定する請求項２７に記載の選択装置。
【請求項２９】
気体流を患者の気道に連絡する患者界面材装置の固有の構成部材に各群のデータが関連する複数群のデータをデータベースに記憶する過程と、
患者の頭部の少なくとも一部に関する解剖学的特徴の寸法を示す解剖学的データを含む患者の少なくとも１つの特性に対応する患者データを得る過程と、
患者データを複数群のデータと比較する過程と、
患者データと複数群のデータとの比較の結果に基づき、患者の使用に適する患者界面材装置の構成部材を決定する過程とを含むことを特徴とする患者に対し患者界面材装置又は患者界面材の少なくとも１つの構成部材を選択する選択法。
【請求項３０】
複数群のデータの各々は、各群のデータに関連する患者界面材装置の固有の構成部材の物理的な寸法に関連するデータを含む請求項２９に記載の選択法。
【請求項３１】
複数群のデータの各々は、各群のデータに関連する患者界面材装置の固有の構成部材の物理的な寸法に無関係のデータを含み、患者データは、更に患者の解剖学的特徴の寸法に対応するデータを含む請求項２９に記載の選択法。
【請求項３２】
患者界面材装置の構成部材を決定する過程は、複数の異なる形式の患者界面材装置又は構成部材から一形式の患者界面材装置又は構成部材を決定する過程を含む請求項２９に記載の選択法。
【請求項３３】
患者界面材装置の構成部材を決定する過程は、複数の異なるサイズの構成部材から一サイズの構成部材を決定する過程を含む請求項２９に記載の選択法。
【請求項３４】
患者界面材装置の構成部材を決定する過程は、(1)患者界面材装置の複数の異なる形式の構成部材から一形式の構成部材を決定する過程と、(2)決定された一形式の構成部材に関連する複数の異なるサイズの構成部材から一サイズの構成部材を決定する過程とを含む請求項２９に記載の選択法。
【請求項３５】
患者データを得る過程は、患者顔面上の目印間の距離を測定する過程を含み、患者データは、測定された距離を含む請求項２９に記載の選択法。
【請求項３６】
患者データを得る過程は、患者顔面の少なくとも一部の三次元表示を形成する過程を含む請求項２９に記載の選択法。
【請求項３７】
患者データを得る過程は、第１の場所で実施され、更に、患者データを第２の場所に送信して比較を行う過程を含む請求項２９に記載の選択法。
【請求項３８】
患者の使用に適する患者界面材装置の構成部材を決定する過程は、患者の使用に適する患者界面材装置の複数の構成部材を決定する過程を含む請求項２９に記載の選択法。
【請求項３９】
更に、患者データと複数群のデータとの間の一致度に基づき、患者界面材装置の複数の構成部材の中で構成部材に優先順位を付ける過程を含む請求項３８に記載の選択法。
【請求項４０】
患者界面材装置の構成部材は、調節可能な構造を含み、更に、患者界面材を決定する過程で決定される患者界面材装置の構成部材の調節可能な構造の設定レベルを患者データに基づいて決定する過程を含む請求項２９に記載の選択法。
【請求項４１】
更に、データベース内に患者データを記憶する過程を含む請求項２９に記載の選択法。
【請求項４２】
更に、患者界面材装置の新規な構成部材に対応する新規な一群のデータをデータベース内に入力する過程と、
新規な一群のデータを含む複数群のデータと記憶された患者データとを使用して、比較する過程及び決定する過程を繰り返す過程とを含む請求項４１に記載の選択法。
【請求項４３】
気体流を患者の気道に連絡する患者界面材装置の固有の構成部材に各群のデータが関連する複数群のデータを記憶するデータベースと、
患者の頭部の少なくとも一部に関する解剖学的特徴の寸法を示す解剖学的データを含む患者の少なくとも１つの特性に対応する一群の患者データを得る手段と、
患者データを複数群のデータと比較し、比較結果に基づいて患者の使用に適する患者界面材装置の構成部材を決定する演算処理手段とを備えることを特徴とする患者に対して患者界面材装置を選択する選択装置。
【請求項４４】
複数群のデータの各々は、各群のデータに関連する患者界面材装置の固有の構成部材の物理的な寸法に関連するデータを含む請求項４３に記載の選択装置。
【請求項４５】
複数群のデータの各々は、各群のデータに関連する患者界面材装置の固有の構成部材の物理的な寸法に無関係のデータを含み、患者データは、更に患者の解剖学的特徴の寸法に対応しないデータを含む請求項４３に記載の選択装置。
【請求項４６】
演算処理手段は、患者界面材装置の複数の異なる形式の構成部材から一形式の構成部材を決定する請求項４３に記載の選択装置。
【請求項４７】
演算処理手段は、患者界面材装置の複数の異なるサイズの構成部材から一サイズの構成部材を決定する請求項４３に記載の選択装置。
【請求項４８】
演算処理手段は、(1)患者界面材装置の複数の異なる形式の構成部材から一形式の構成部材を決定し、(2)決定された一形式の構成部材に関連する複数の異なるサイズの構成部材から患者界面材装置の一サイズの構成部材を決定する請求項４３に記載の選択装置。
【請求項４９】
一群の患者データを得る手段は、患者顔面上の目印間の距離を測定する測定器具であり、患者データは、測定された距離を含む請求項４３に記載の選択装置。
【請求項５０】
一群の患者データを得る手段は、患者顔面の少なくとも一部の三次元表示を形成する手段を含む請求項４３に記載の選択装置。
【請求項５１】
一群の患者データを得る手段は、第１の場所に配置され、更に、患者データを第２の場所に送信する手段を備える請求項４３に記載の選択装置。
【請求項５２】
演算処理手段は、患者の使用に適する患者界面材装置の複数の構成部材を決定する請求項４３に記載の選択装置。
【請求項５３】
演算処理手段は、患者データと複数群のデータとの間の一致度に基づき、患者界面材装置の複数の構成部材に優先順位を付ける請求項５２に記載の選択装置。
【請求項５４】
更に、データベースに患者データを記憶する手段を備える請求項４３に記載の選択装置。
【請求項５５】
更に、患者界面材装置の新規な構成部材に対応する新規な一群のデータをデータベースに入力する手段を備え、演算処理手段は、新規な一群のデータを含む複数群のデータと記憶された患者データとを比較して、比較結果に基づき、患者の使用に適する患者界面材装置の構成部材を決定する請求項５４に記載の選択装置。
【請求項５６】
患者界面材装置の構成部材は、調節可能な構造を含み、患者に適合するように決定される患者界面材装置の構成部材の調節可能な構造の設定レベルを患者データに基づいて決定する請求項４３に記載の選択装置。
【手続補正２】
【補正対象書類名】明細書
【補正対象項目名】００２７
【補正方法】変更
【補正の内容】
【００２７】
図２Ａ〜図２Ｃは、本発明の選択装置に使用するデータベース36,36',36"の例示的な実施の形態を示す。図２Ａは、データベース36に記憶された患者界面材装置の各形式52a,52b,・・・52xに関連する固有の一群のデータ50a,50b,・・・50xのデータベース36を示す。この選択装置では、演算処理装置は、記憶された異なる群のデータと入力患者データとを比較して、患者界面材装置の形式52a,52b,・・・52xが患者に最適か否かを決定する。各群のデータ50a,50b,・・・50xは、僅か一部分のデータしか保有しないが、各群のデータは、関連する多数のデータを有することができる。特に、このデータベースは、患者界面材装置の各形式が１サイズのみを有する状況に適するため、各形式内でのサイズ選択を要しない。
【手続補正３】
【補正対象書類名】明細書
【補正対象項目名】００２８
【補正方法】変更
【補正の内容】
【００２８】
図２Ｂは、患者界面材装置の各サイズ54に関連するデータベース36'に記憶された固有の一群のデータ50a',50b',・・・50x'のデータベース36'を示す。この選択装置では、演算処理装置は、記憶された異なる群のデータ50a',50b',・・・50x'と入力患者データとを比較して、患者界面材装置のサイズ54a,54b,・・・54xが患者に最適か否かを決定する。前記の通り、各群のデータは、僅か一部分のデータしか保有しないが、各群のデータは、関連する多数のデータを有することができる。特に、このデータベースは、患者界面材装置の一形式のみ存在する状況に適するため、患者に対する適切な患者界面材装置の選択は、サイズにのみ基づく。
【手続補正４】
【補正対象書類名】明細書
【補正対象項目名】００２９
【補正方法】変更
【補正の内容】
【００２９】
最後に、図２Ｃは、患者界面材装置56の各形式及び各サイズに関連するデータベース36"に記憶された固有の一群のデータ50a",50b",・・・50x"のデータベース36"である。この装置では、処理装置は、記憶された異なる群のデータと入力患者データとを比較して、患者界面材装置の形式及びサイズ56a,56b,・・・56xが患者に最適か否かを決定する。また、各群のデータ50a",50b",・・・50x"は、僅か一部分のデータしか保有しないが、各群のデータ50a",50b",・・・50x"は、関連する多数のデータを有することができる。このデータベースは、特に、多数の形式の患者界面材装置が存在する場合、及び少なくとも１つの形式に対して複数のサイズが存在する場合に適するため、最適の患者界面材装置を選択するには、患者界面材データを使用して適切な形式及びサイズを選択しなければならない。共通の形式の患者界面材装置に関連する複数群のデータは、関連する同様の型式のデータを有してもよいことは勿論である。
【手続補正５】
【補正対象書類名】図面
【補正対象項目名】図２Ａ
【補正方法】変更
【補正の内容】
【図２Ａ】
2006519033.tif 000001
【手続補正６】
【補正対象書類名】図面
【補正対象項目名】図２Ｂ
【補正方法】変更
【補正の内容】
【図２Ｂ】
2006519033.tif 000002
【手続補正７】
【補正対象書類名】図面
【補正対象項目名】図２Ｃ
【補正方法】変更
【補正の内容】
【図２Ｃ】
2006519033.tif 000003